(57)【要約】【課題】  着脱自在に結合可能なランプ部と回路部の着脱構造を有し、始動時から安定点灯時まで十分な光出力を得られるランプ装置を提供する。【解決手段】  本ランプ装置は、着脱自在に構成された回路部１とランプ部２とを備える。ランプ部２は、発光管１１を収納する発光管収納カバー９に形成された連結部１８、発光管１１の最冷点部１６に一端が接続され連結部１８に他端が配置された金属材１３および発光管１１に接続された接続ピン７を有する。回路部１は、点灯駆動回路５を収納する回路収納カバー４、回路収納カバー４に形成された連結部１９、口金３に一端が接続され連結部１９に他端が配置された金属材１４および点灯駆動回路５に接続された導電接続金具６を有する。連結部１８と連結部１９とが連結したときに、接続ピン７と導電接続金具６とが電気的に接続されるとともに、金属材１３の他端と金属材１４の他端とが熱的に接続される。【選択図】  図１
2010010044.tif 000002
【特許請求の範囲】
【請求項１】
発光管、前記発光管を収納する発光管収納カバー、前記発光管収納カバーに形成された第１連結部、前記発光管の最冷点部に一端が接続され前記第１連結部に他端が配置された第１金属材および前記発光管に接続された第１導電部材を有するランプ部と、電源に接続される口金、前記発光管を点灯するための点灯駆動回路、前記点灯駆動回路を収納する回路収納カバー、前記回路収納カバーに形成された第２連結部、前記口金に一端が接続され前記第２連結部に他端が配置された第２金属材および前記点灯駆動回路に接続された第２導電部材を有する回路部とを着脱自在に備え、前記ランプ部と前記回路部とを結合するために前記第１連結部と前記第２連結部とが連結したときに、前記第１導電部材と前記第２導電部材とが電気的に接続されるとともに、前記第１金属材の他端と前記第２金属材の他端とが熱的に接続されるように構成したことを特徴とするランプ装置。
【請求項２】
前記第１連結部および前記第２連結部は、一方が凸部で他方がそれに対応する凹部であることを特徴とする請求項１記載のランプ装置。
【請求項３】
前記第２連結部が、前記第２金属材の他端に対する接触防止用の保護部材を備えたことを特徴とする請求項１または２記載のランプ装置。
【請求項４】
前記第２金属材の一端が、前記回路収納カバーと前記口金との間に挟まれることを特徴とする請求項１〜３のいずれかに記載のランプ装置。
【請求項５】
前記発光管の最冷点部が、前記発光管収納カバーの外部に露出していることを特徴とする請求項１〜４のいずれかに記載のランプ装置。
【請求項６】
前記ランプ部が、前記発光管収納カバー内における前記発光管の最冷点部の周辺部に前記発光管からの輻射熱の影響を軽減するための介在物を備えたことを特徴とする請求項１〜４のいずれかに記載のランプ装置。
【請求項７】
前記第２導電部材が、前記点灯駆動回路の基板に実装されることを特徴とする請求項１〜６のいずれかに記載のランプ装置。
【請求項８】
電源に接続される口金、前記発光管を点灯するための点灯駆動回路、前記点灯駆動回路を収納する回路収納カバー、前記回路収納カバーに形成された第２連結部、前記口金に一端が接続され前記第２連結部に他端が配置された第２金属材および前記点灯駆動回路に接続された第２導電部材を有するランプ点灯回路装置に対して着脱自在に構成されたランプ体であって、発光管と、前記発光管を収納する発光管収納カバーと、前記発光管収納カバーに形成された第１連結部と、前記発光管の最冷点部に一端が接続され前記第１連結部に他端が配置された第１金属材と、前記発光管に接続された第１導電部材とを備え、前記ランプ点灯回路装置と結合するために前記第１連結部を前記第２連結部に連結したときに、前記第１導電部材が前記第２導電部材に電気的に接続されるとともに、前記第１金属材の他端が前記第２金属材の他端と熱的に接続されるように構成したことを特徴とするランプ体。
【請求項９】
発光管、前記発光管を収納する発光管収納カバー、前記発光管収納カバーに形成された第１連結部、前記発光管の最冷点部に一端が接続され前記第１連結部に他端が配置された第１金属材および前記発光管に接続された第１導電部材を有するランプ体に対して着脱自在に構成されたランプ点灯回路装置であって、電源に接続される口金と、前記発光管を点灯するための点灯駆動回路と、前記点灯駆動回路を収納する回路収納カバーと、前記回路収納カバーに形成された第２連結部と、前記口金に一端が接続され前記第２連結部に他端が配置された第２金属材と、前記点灯駆動回路に接続された第２導電部材とを備え、前記ランプ体と結合するために前記第２連結部を前記第１連結部に連結したときに、前記第２導電部材が前記第１導電部材に電気的に接続されるとともに、前記第２金属材の他端が前記第１金属材の他端と熱的に接続されるように構成したことを特徴とするランプ点灯回路装置。
【発明の詳細な説明】
【技術分野】
【０００１】
本発明はランプ装置に係り、特に着脱自在に組み合わされたランプ部と回路部とを有するランプ装置に関するものである。
【背景技術】
【０００２】
近年、省エネルギー等を目的として、インバータ式点灯駆動回路を内蔵した電球形やコンパクト形の蛍光ランプ等のランプ装置が多く使用されるようになってきた。
【０００３】
この種の蛍光ランプは、例えば特許文献１に記載されている。このような、従来のインバータ式点灯駆動回路を内蔵した電球形やコンパクト形の蛍光ランプにあっては、放電発光管とインバータ式点灯駆動回路が一体化されている。そのため、寿命に至った放電発光管の交換については構造上考慮されておらず、インバータ式点灯駆動回路を内蔵した蛍光ランプ全体を交換するしかなかった。
【特許文献１】特開２００２−１５７０２号公報
【発明の開示】
【発明が解決しようとする課題】
【０００４】
蛍光ランプが寿命に至った場合、従来のように蛍光ランプ全体を交換するのではなく、放電発光管とインバータ式点灯駆動回路が着脱自在に組み合わされたランプ部及び回路部から成る蛍光ランプを作製し、ランプ寿命時にはランプ部だけを交換し回路部は再利用することが考えられる。このような構成によれば、近年の更なる省エネルギー、省資源化の要求に沿うものになると期待されるが、同時に、ランプ性能の向上も欠かせない。
一般的に電球形蛍光ランプの点灯時における発光管の輻射熱は、直線形・丸形の蛍光ランプの輻射熱よりも高い。そのため、蛍光ランプの発光に不可欠な水銀の供給形態は、低輻射熱の直線形・丸形の蛍光ランプの場合は純水銀または純水銀にほぼ等しい特性を持つ水銀アマルガムを封入しているので、低温で発光管内の水銀蒸気圧が最適になり、始動時から安定点灯時まで一定の十分な光出力が得られるのに対し、高輻射熱の電球形蛍光ランプの場合は、純水銀よりも高温で発光管内の水銀蒸気圧が最適になる水銀アマルガムを封入しているため、安定点灯時には十分な光出力が得られるが、始動時の低温時には十分な光出力が得られない。
高輻射熱である電球形蛍光ランプにおいても始動時から十分な光出力を得るためには、直線形・丸形の蛍光ランプと同様に純水銀または純水銀にほぼ等しい特性を持つ水銀アマルガムを封入するうえ、発光管の輻射熱を外部に放出して、発光管内の水銀が集まる最冷点温度を直線形・丸形の蛍光ランプに近づける必要がある。
【０００５】
従って本発明の目的は、着脱自在に結合可能なランプ部と回路部の着脱構造を有し、始動時から安定点灯時まで十分な光出力を得られるランプ装置を提供することにある。
【課題を解決するための手段】
【０００６】
上記目的は、発光管、前記発光管を収納する発光管収納カバー、前記発光管収納カバーに形成された第１連結部、前記発光管の最冷点部に一端が接続され前記第１連結部に他端が配置された第１金属材および前記発光管に接続された第１導電部材を有するランプ部と、電源に接続される口金、前記発光管を点灯するための点灯駆動回路、前記点灯駆動回路を収納する回路収納カバー、前記回路収納カバーに形成された第２連結部、前記口金に一端が接続され前記第２連結部に他端が配置された第２金属材および前記点灯駆動回路に接続された第２導電部材を有する回路部とを着脱自在に備え、前記ランプ部と前記回路部とを結合するために前記第１連結部と前記第２連結部とが連結したときに、前記第１導電部材と前記第２導電部材とが電気的に接続されるとともに、前記第１金属材の他端と前記第２金属材の他端とが熱的に接続されるように構成したランプ装置により達成される。
【０００７】
ここで、前記第１連結部および前記第２連結部は、一方を凸部とし他方をそれに対応する凹部とすることができる。前記第２連結部は、前記第２金属材の他端に対する接触防止用の保護部材を備えることができる。前記第２金属材の一端は、前記回路収納カバーと前記口金との間に挟まれるように構成することができる。前記発光管の最冷点部は、前記発光管収納カバーの外部に露出していることが好ましい。前記ランプ部は、前記発光管収納カバー内における前記発光管の最冷点部の周辺部に前記発光管からの輻射熱の影響を軽減するための介在物を備えることができる。前記第２導電部材は、前記点灯駆動回路の基板に実装することができる。
【０００８】
本発明に係るランプ体は、電源に接続される口金、前記発光管を点灯するための点灯駆動回路、前記点灯駆動回路を収納する回路収納カバー、前記回路収納カバーに形成された第２連結部、前記口金に一端が接続され前記第２連結部に他端が配置された第２金属材および前記点灯駆動回路に接続された第２導電部材を有するランプ点灯回路装置に対して着脱自在に構成されたものであって、発光管と、前記発光管を収納する発光管収納カバーと、前記発光管収納カバーに形成された第１連結部と、前記発光管の最冷点部に一端が接続され前記第１連結部に他端が配置された第１金属材と、前記発光管に接続された第１導電部材とを備え、前記ランプ点灯回路装置と結合するために前記第１連結部を前記第２連結部に連結したときに、前記第１導電部材が前記第２導電部材に電気的に接続されるとともに、前記第１金属材の他端が前記第２金属材の他端と熱的に接続されるように構成される。
【０００９】
本発明に係るランプ点灯回路装置は、発光管、前記発光管を収納する発光管収納カバー、前記発光管収納カバーに形成された第１連結部、前記発光管の最冷点部に一端が接続され前記第１連結部に他端が配置された第１金属材および前記発光管に接続された第１導電部材を有するランプ体に対して着脱自在に構成されたものであって、電源に接続される口金と、前記発光管を点灯するための点灯駆動回路と、前記点灯駆動回路を収納する回路収納カバーと、前記回路収納カバーに形成された第２連結部と、前記口金に一端が接続され前記第２連結部に他端が配置された第２金属材と、前記点灯駆動回路に接続された第２導電部材とを備え、前記ランプ体と結合するために前記第２連結部を前記第１連結部に連結したときに、前記第２導電部材が前記第１導電部材に電気的に接続されるとともに、前記第２金属材の他端が前記第１金属材の他端と熱的に接続されるように構成される。
【００１０】
本発明では、前記ランプ部と前記回路部とを接続させた一体状態においては、前記発光管輻射熱を前記口金を介して電源口金ソケットへ伝熱させるために設けられた、前記ランプ部の金属材と前記回路部の金属材は、人の指が触れないような保護部材を備えた上で機械的に接触していることが好ましい。さらに、前記発光管輻射熱を前記口金を介して前記電源口金ソケットへ伝熱させるために設けた金属材は、熱伝導に優れかつ弾性を有していることが好ましい。さらに、前記発光管輻射熱を前記口金を介して前記電源口金ソケットへ伝熱させるために設けた前記回路部の金属材は、前記点灯駆動回路収納カバーの口金取付部において、前記収納カバーと前記口金との間に前記金属材の一部を挟み込む構造を有していることが好ましい。さらに、前記発光管の最冷点を前記発光管収納カバー内部から外部へ貫通させ、最冷点が外気に触れる構造を有していることが好ましい。なお、最冷点付近のカバーに切り欠き部を形成し、最冷点が外気に触れる構造にしてもよい。
【００１１】
さらに、前記発光管収納カバーには前記発光管の最冷点部が受ける前記発光管輻射熱の影響を軽減できるよう発光管収納カバー内部の最冷点部周辺に介在物として例えばリブを有していることが好ましい。さらに、前記点灯駆動回路の基板には前記ランプ部端子と電気的接触するための受金（導電部材）が直接実装されていることが好ましい。さらに、前記回路部が前記ランプ部導電部材に容易に係合できるように、前記回路部と前記ランプ部の外表面に着脱位置あわせを有していることが好ましい。なお、上記構造は発光管及びそれを点灯するための例えばインバータ式点灯駆動回路を備え、着脱自在に組み合わされたランプ部と回路部とを有するランプ装置に限らず、放電発光管とインバータ式点灯駆動回路が一体化されているランプ装置に用いてもよい。また、前記口金形状は単一形状に限定するものではなく、これ以外のサイズのＥ口金、Ｂ口金などに用いてもよい。また、接続ピン７は、Ｇ１０ｑ型である。但し、ピン形状は１つに限定するものではない。
【００１２】
このような構成により、ランプ部と回路部の着脱構造を有し、始動時から安定点灯時まで十分な光出力を得ることができる。
【００１３】
ランプ部と回路部とを着脱自在に組み合わせたランプ装置において、発光管輻射熱を口金を介して口金ソケットへ伝達させ、かつ前記ランプ部と前記回路部との接続状態保持を強化できる機構を有するには、ランプ部と回路部のそれぞれに伝熱経路を形成し、ランプ部と回路部を組み合わせて一体化した際に、各伝熱経路の連結と、ランプ部と回路部の係合が一体の機構を有している必要がある。ランプ部の伝熱経路は、発光管の最冷点部に金属材の一端が接触しており、金属材のもう一端は発光管収納カバーの外表面に接触している。従って、発光管の輻射熱が最冷点部から金属材の一端に伝わり、金属材を伝って発光管収納カバーの外表面に接触している金属材のもう一端から外部へ伝熱する。一方、回路部の伝熱経路は、点灯駆動回路収納カバーの外表面に金属材の一端が接触しており、金属材のもう一端は口金に接触している。従って、点灯駆動回路収納カバーの外表面に接触している金属材の一端から外部からの熱を受取り、金属材を伝って、金属材のもう一端に接触している口金を経由して電源口金ソケットへ伝熱する。ランプ部と回路部とを組み合わせた一体状態においては、ランプ部の発光管収納カバーの外表面に接触している金属材の一端と、回路部の点灯駆動回路収納カバーの外表面に接触している金属材の一端が接触し、ランプ部と回路部の伝熱経路が連結している状態になる。また、ランプ部の発光管収納カバーの凸部外表面に金属材を接触させ、一方、回路部の点灯駆動回路収納カバーの凹部外表面（発光管収納カバー凸部に対応している）に接触している金属材を機械的に接触させることにより、熱伝達の接触と両カバーの係合が同時に行われる。ここで、上記凸部と凹部とを逆にすることもできる。また、回路部がランプ部導電部材に容易に係合できる目安となる。
【００１４】
ランプ部の金属材と回路部の金属材の機械的接触により、最冷点部の輻射熱を口金を介して電源口金ソケットに伝達できるが、同時に、口金は通電している。よって、金属材にも通電するため、金属材に指などが触れないようにする必要がある。その対策として、ランプ部と回路部とを接続させた一体状態においては、ランプ部と回路部の双方の金属材を点灯駆動回路収納カバーや発光管収納カバーで覆い隠して、指などが触れられない状態にする。一方、ランプ部が接続されていない回路部のみの状態で口金が電源口金ソケットにはめ込まれて通電状態である場合は、回路部の点灯駆動回路収納カバーの凹部外表面（発光管収納カバー凸部に対応している）に接触している金属材に指などが触れられない状態にするために、カバーに人が触れないように保護部材として接触防止用のリブを設ける。
【００１５】
金属材は、上述のように、熱伝導接触と機械的接触を目的に設けているため、熱伝導に優れかつ弾性を有している材質であることが好ましい。金属材については更に後述する。
【００１６】
回路部の金属材と口金との接続においては、金属材が点灯駆動回路の発熱を拾うことによる発光管輻射熱の伝達効率低下を防ぐため、収納カバーの口金取付部で収納カバーと口金との間に金属材の一部を挟み込む構造とする。これにより、金属材と点灯駆動回路の間に収納カバーの一部が介在し断熱効果があるため、点灯駆動回路の熱影響を低減できる。
【００１７】
発光管の最冷点部である排気管封止トップ部または水銀アマルガム封入管が、発光管収納カバー内部から外部に貫通し、外気に触れる構造にする。すなわち、最冷点部は発光管収納カバーの外部に露出させる。これにより、発光管の最冷点部が発光管収納カバー内部に蓄積されている発光管輻射熱の影響を受けにくくすることができる。最冷点部が発光管収納カバー内部から外部に貫通せず、最冷点付近のカバーに切り欠き部を形成し、最冷点部が外気に触れる構造にしても同様の効果が得られる。さらに、発光管収納カバーには発光管の最冷点部が発光管輻射熱の影響を受けにくくするために発光管収納カバー内部の最冷点部排気管周辺または最冷点水銀アマルガム封入管周辺に介在物としてリブを設けている。
【００１８】
点灯駆動回路の基板にはランプ部端子と電気的接触するための受金（導電部材）が直接実装されて一体となっている。点灯駆動回路と受金が一体であるので、受金を支持する部品や受金と点灯駆動回路を連結させる部品が不要になり、ランプ全長の抑制や、コスト低減や、点灯駆動回路組立ての簡素化が可能である。
【００１９】
回路部がランプ部導電部材に容易に係合できるように、回路部とランプ部の外表面に着脱位置あわせとして、矢印マークや凹凸部など目印を有することが好ましい。目印は印刷やシール貼付けやケース構造で設けることができる。
【発明の効果】
【００２０】
本発明によれば、着脱自在に組み合わされたランプ部と回路部の着脱構造を有し、始動時から安定点灯時まで十分な光出力を得られるランプ装置を得ることができる。
【発明を実施するための最良の形態】
【００２１】
以下、本発明に係るランプ装置の実施例を蛍光ランプの場合を例にとって図面にしたがって説明する。図中に記載する参照符号は以下に説明する各実施例において全て共通符号とする。各図において、参照符号１は蛍光ランプの回路部、２は蛍光ランプのランプ部、３はＥ２６口金、４はインバータ式点灯駆動回路収納カバー、５はインバータ式点灯駆動回路、６は接続ピンとインバータ式点灯駆動回路との導電接続金具（回路部導電部材）、７は接続ピン（ランプ部導電部材）、８は接続ピンと発光管電極部との接続リード線、９は発光管収納カバー、１０はインナーケース（発光管保持手段）、１１は放電発光管、１２はガラスグローブ、１３はランプ部の銅製金具（金属材）、１４は回路部の銅製金具（金属材）、１５はグラスウール（断熱材）、１６は放電発光管の排気管封止トップ部（最冷点部）、１７は電源口金ソケットである。
【実施例１】
【００２２】
図１は、本発明に係るランプ装置の第１の実施例を示す図で、（ａ）は回路部、（ｂ）はランプ部である。本ランプ装置は、図示のように、着脱自在に構成された回路部（ランプ点灯回路装置）１とランプ部（ランプ体）２とを備える。ランプ部（ランプ体）２は、発光管１１、発光管１１を収納する発光管収納カバー９、発光管収納カバー９に形成された連結部１８、発光管１１の最冷点部１６に一端が接続され連結部１８に他端が配置された金属材１３および発光管１１に接続された接続ピン（導電部材）７を有する。回路部（ランプ点灯回路装置）１は、電源に接続される口金３、発光管１１を点灯するための点灯駆動回路５、点灯駆動回路５を収納する回路収納カバー４、回路収納カバー４に形成された連結部１９、口金３に一端が接続され連結部１９に他端が配置された金属材１４および点灯駆動回路５に接続された導電接続金具（導電部材）６を有する。ランプ部２と回路部１とを結合するために連結部１８と連結部１９とが連結したときに、接続ピン（導電部材）７と導電接続金具（導電部材）６とが電気的に接続されるとともに、金属材１３の他端と金属材１４の他端とが熱的に接続される。
【００２３】
すなわち、ランプ部（ランプ体）２は、回路部（ランプ点灯回路装置）１に対して着脱自在に構成され、発光管１１と、発光管１１を収納する発光管収納カバー９と、発光管収納カバー９に形成された連結部１８と、発光管１１の最冷点部１６に一端が接続され連結部１８に他端が配置された金属材１３と、発光管１１に接続された接続ピン（導電部材）７とを備え、回路部（ランプ点灯回路装置）１と結合するために連結部１８を連結部１９に連結したときに、接続ピン（導電部材）７が導電接続金具（導電部材）６に電気的に接続されるとともに、金属材１３の他端が金属材１４の他端と熱的に接続される。一方、回路部（ランプ点灯回路装置）１は、ランプ部（ランプ体）２に対して着脱自在に構成され、電源に接続される口金３と、発光管１１を点灯するための点灯駆動回路５と、点灯駆動回路５を収納する回路収納カバー４と、回路収納カバー４に形成された連結部１９と、口金３に一端が接続され連結部１９に他端が配置された金属材１４と、点灯駆動回路５に接続された導電接続金具（導電部材）６とを備え、ランプ部（ランプ体）２と結合するために連結部１９を連結部１８に連結したときに、導電接続金具（導電部材）６が接続ピン（導電部材）７に電気的に接続されるとともに、金属材１４の他端が金属材１３の他端と熱的に接続される。
【００２４】
ここで、熱的に接続されるとは、金属材と金属材との間に熱の伝達が行われるように接続されることをいう。本実施例では、ランプ部２と回路部１とを組み合わせた一体状態における金属材１３と金属材１４との熱伝達経路は機械的な接触によるものであるが、その接触方法は、面接触、線接触、点接触、勘合などを含み、さらに接触箇所にグリスなど熱伝達物質を介在させてもよい。また、連結部１８および連結部１９は、一方を凸部とし他方をそれに対応する凹部とすることができる。本実施例では連結部１８が凸部で連結部１９が凹部とされている。
【００２５】
連結部１８と連結部１９とが連結されると、発光管輻射熱が、最冷点部１６・金属材（１３，１４）・口金３を介して電源口金ソケット１７へ伝達される。この金属材（銅製金具）による放熱効果は例えば次のとおりである。従来の蛍光ランプにおける発光管の最冷点温度は１１５℃であった。本発明における発光管の最冷点温度は６１℃であるため、従来の蛍光ランプの最冷点温度より約５０℃の低減効果を得られ、直線形・丸形の蛍光ランプにおける発光管の最冷点温度である約４０℃に近づけることができた。これにより、本ランプ装置では、発光管１１に低輻射熱の直線形・丸形の蛍光ランプの場合と同様な純水銀または純水銀にほぼ等しい特性を持つ水銀アマルガムを封入することができる。本実施例では、純水銀にほぼ等しい特性を持つ水銀アマルガムを封入した。
【００２６】
ここで、金属材とは、熱伝導性に優れた金属または金属を用いた材料をいい、銅やアルミニウムやそれらの化合物といった金属やこれらの金属が混入されたシリコーン材などを含む。本実施例では、上述のとおり金属材として銅製金具を用いた。
【００２７】
回路部１における金属材１４は、点灯駆動回路収納カバー４内を通して設けられ、好適には点灯駆動回路収納カバー４の内面に沿って配置される。回路部１は、金属材１４と点灯駆動回路５との間に熱の伝達を抑える介在物としてグラスウール（断熱材）１５を備えることができる。この介在物が絶縁物とすることができる。また、ランプ部２における金属材１３の一端は、発光管１１の最冷点部１６の周囲を覆うように配置することができる。
【００２８】
図１の実施例をさらに詳述する。図示のように、本ランプ装置は、放電発光管１１を有するランプ部２と、電源に接続される口金３および放電発光管１１を点灯するためのインバータ式点灯駆動回路５を有する回路部１とを着脱自在に組み合わせたものである。ランプ部２は、放電発光管１１を保持するインナーケース（発光管保持手段）１０と、放電発光管１１の電極に接続された接続ピン（導電部材）７と、ランプ部の銅製金具（金属材）１３を備える。回路部１は、接続ピン７に係合しインバータ式点灯駆動回路５に接続される導電接続金具（導電部材）６と、点灯駆動回路５を収納するインバータ式点灯駆動回路収納カバー４とを備える。
【００２９】
回路部１とランプ部２は着脱自在である。回路部１は、電源口金ソケット１７に接続されるＥ２６口金３と、これに固着されたインバータ式点灯駆動回路収納カバー４と、このカバー内に収納されたインバータ式点灯駆動回路５とを備えている。ランプ部２は、一対の電極を有し内面に蛍光体が塗布された放電発光管１１とこれを保持するインナーケース１０とを備えている。放電発光管１１はその両端部でインナーケース１０に保持されている。放電発光管１１の両端部の二対の電極にはランプ部導電部材として接続ピン７が接続され、この接続ピン７に係合する回路部導電部材としての導電接続金具６が回路部１の対応個所に備えられている。
【００３０】
本実施例では、図示のように、点灯駆動回路５の基板には、ランプ部端子である接続ピン７と電気的接触するための導電接続金具６が直接実装されて一体となっている。点灯駆動回路５と導電接続金具６が一体であるので、導電接続金具６を支持する部品や導電接続金具６と点灯駆動回路５を連結させる部品が不要になり、ランプ全長の抑制や、コスト低減や、点灯駆動回路組立ての簡素化が可能である。
【００３１】
このように、接続ピン７と接続金具６とが電気的に接続した状態で係合することにより、回路部１とランプ部２とが一体に接合し、蛍光ランプとして点灯できる状態になる。逆に、これらの接続ピン７と導電接続金具６との接続を外すことにより、回路部１とランプ部２とが分離し、ランプ部２の交換が可能になる。
【００３２】
ランプ部２においては放電発光管１１の排気管トップ部（最冷点部）１６と発光管収納カバー９に銅製金具（金属材）１３を連結させ、一方、回路部１においてはインバータ式点灯駆動回路収納カバー４とＥ２６口金３に銅製金具（金属材）１４を連結させることにより、ランプ部２と回路部１とを組み合わせた一体状態において銅製金具（金属材）１３と銅製金具（金属材）１４が機械的に接触し、ランプ点灯状態において、発光管の排気管トップ部（最冷点部）１６の輻射熱をＥ２６口金３を介して口金電源ソケット１７に伝熱することができる。
【００３３】
インバータ点灯駆動回路には寿命末期電圧検知回路を内蔵させることにより、寿命に至った放電発光管は回路部１からランプ部２を分離させ、ランプ部２のみを新しいものに交換することによって、再び良好な点灯状態を取り戻すことができる。その結果、回路部１を長期間使用することができる。
【００３４】
図２（ａ）〜（ｃ）は、本発明に係るランプ装置の第１の実施例のランプ部、回路部およびその連結部を示す斜視図である。図示のように、ランプ部２の銅製金具１３の一端は発光管収納カバー９に形成した連結部（凸部）１８の外表面に配置されている。一方、回路部１の点灯駆動回路収納カバー４にはランプ部２の凸部１８に対応するために形成した連結部（凹部）１９の外表面に銅製金具１４の一端を配置させている。ランプ部２を回路部１に挿入し時計回りに回すことにより、ランプ部２の凸部１８が回路部１の凹部１９に押し当てられて固定され、銅製金具１３と銅製金具１４が熱的に接続される。この様に、双方の収納カバーの凹凸部に銅製金具を配置しているため、ランプ部２と回路部１とを組み合わせた一体状態においては熱伝達の接触と双方の収納カバーの係合が同時に行われることが可能となる。さらに、一体化の際に凹凸部が目印になり、容易に係合させることができる。また、回路部１がランプ部２と一層容易に係合できるように、発光管収納カバー９と点灯回路収納カバー４の外表面に着脱位置あわせとして矢印マークを付けてもよい。
【００３５】
また、銅製金具１３と銅製金具１４は導電性であるため、Ｅ２６口金３が通電状態の場合は銅製金具に指などが触れないようにする必要がある。このため、ランプ部２と回路部１とを接続させた一体状態においては、収納カバー４が銅製金具を覆い隠し、指などの接触ができない状態になる。一方、ランプ部２が接続されていない回路部１のみの状態でＥ２６口金３が電源口金ソケット１７に嵌め込まれて通電状態である場合に、回路部１の点灯駆動回路収納カバーの凹部１９外表面に配置している銅製金具１４に指などが接触できない様に点灯駆動回路収納カバー４に保護部材としてリブ２０を設けている。
【００３６】
銅製金具は熱伝導接触と機械的接触を目的として設けているため、熱伝導性に優れかつ弾性を有している銅化合物を使用している。これにより、弾性による機械的な接触効果が大きくなり、効率よく熱伝導が行われる。
【００３７】
図３（ａ）は本発明の第１の実施例に係る回路部１を構成する点灯駆動回路収納カバー４と銅製金具１４とＥ２６口金３を示す斜視図、（ｂ）は（ａ）中のＢ部の拡大図である。図示のように、収納カバー４に設けられたスリット２１に銅製金具１４の一端を通し、収納カバー４の口金取り付け部で収納カバー４とＥ２６口金３との間に銅製金具１４を挟み込んでいる。これにより、収納カバー４の一部が断熱材として機能するため、銅製金具１４は点灯駆動回路５の発熱による発光管輻射熱の伝達効率低下を低減できる。
【００３８】
図４は本発明の第１の実施例に係るランプ部２の一部断面切欠き図である。図示のように、発光管１１の最冷点部である排気管封止トップ部１６が、発光管収納カバー９内部から外部に貫通し、外気に触れる構造にする。これにより、発光管１１の最冷点部１６が発光管収納カバー９内部に蓄積されている発光管輻射熱の影響を受けにくくすることができる。さらに、発光管収納カバー９には発光管１１の最冷点部１６が発光管輻射熱の影響を受けにくくするために発光管収納カバー９内部の最冷点排気管１６周辺に介在物としてリブ２０を設けている。
【実施例２】
【００３９】
図５は本発明に係るランプ装置の第２の実施例を示す図である。図示のように、ランプ部２の銅製金具１３の一端は発光管収納カバー９に形成した連結部（凸部）１８の外表面に接触させている。一方、回路部１の点灯駆動回路収納カバー４にはランプ部２の凸部１８に対応するために形成した連結部（凹部）１９の外表面に銅製金具１４の一端を接触させている。本実施例の回路部１は、図示はしないが、図２（ｂ）の回路部１において点灯駆動回路収納カバー４に設けられたリブ２０のないものである。この場合も、ランプ部２を図示しないリブ２０のない回路部１に挿入し時計回りに回すことにより、ランプ部２の凸部１８が回路部１の凹部１９に押し当てられて固定され、銅製金具１３と銅製金具１４が熱的に接続される。この様に、双方の収納カバーの凹凸部に銅製金具を配置しているため、ランプ部２と回路部１とを組み合わせた一体状態においては熱伝達の接触と双方の収納カバーの係合が同時に行われることが可能となる。
【産業上の利用可能性】
【００４０】
本発明はランプ装置に係り、特に口金、発光管及びそれを点灯するための例えばインバータ式点灯駆動回路を備え、着脱自在に組み合わされたランプ部と回路部とを有するランプ装置に関するものであり、産業上の利用可能性がある。
【図面の簡単な説明】
【００４１】
【図１】本発明に係るランプ装置の第１の実施例を示す図で、（ａ）は回路部、（ｂ）はランプ部である。
【図２】（ａ）〜（ｃ）は、本発明に係るランプ装置の第１の実施例のランプ部、回路部およびその連結部を示す斜視図である。
【図３】（ａ）は本発明の第１の実施例に係る回路部１を構成する点灯駆動回路収納カバー４と銅製金具１４とＥ２６口金３を示す斜視図、（ｂ）は（ａ）中のＢ部の拡大図である。
【図４】本発明の第１の実施例に係るランプ部２の一部断面図である。
【図５】図５は本発明に係るランプ装置の第２の実施例を示す図である。
【符号の説明】
【００４２】
１  蛍光ランプの回路部
２  蛍光ランプのランプ部
３  Ｅ２６口金
４  インバータ式点灯駆動回路収納カバー
５  インバータ式点灯駆動回路
６  導電接続金具
７  接続ピン
８  接続ピンと発光管電極部との接続リード線
９  発光管収納カバー
１０  インナーケース
１１  放電発光管
１２  ガラスグローブ
１３  ランプ部の銅製金具（金属材）
１４  回路部の銅製金具（金属材）
１５  グラスウール（断熱材）
１６  放電発光管の排気管封止トップ部（最冷点部）
１７  電源口金ソケット
１８  発光管収納カバーに形成した凸部
１９  点灯駆動回路収納カバーに形成した凹部
２０  点灯駆動回路収納カバーに形成したリブ
２１  点灯駆動回路収納カバーに設けられたスリット
２２  矢印マーク
【図１】
2010010044.tif 000003
【図２】
2010010044.tif 000004
【図３】
2010010044.tif 000005
【図４】
2010010044.tif 000006
【図５】
2010010044.tif 000007